(57)【要約】【課題】筐体の外部に取り付けられるフードに覆われた換気扇を、筐体の外部から着脱できる構造にすること。【解決手段】電気電子機器収納用箱の開口部を覆うように取り付けられるカバー２を備えた換気扇付きフードであって、前記カバー２は、電気機器収納用箱の開口部に臨む第１開口部と、前記第１開口部とは異なるカバー２の一面に設けた第２開口部を備え、第２開口部に着脱可能に取り付けられる取付ベース３に換気扇４が固定された構成とする。【選択図】図１
2018170434.tif 000002
【特許請求の範囲】
【請求項１】
電気電子機器収納用箱の開口部を覆うように取り付けられるカバーを備えた換気扇付きフードであって、
前記カバーは、
電気機器収納用箱の開口部に臨む第１開口部と、
前記第１開口部とは異なるカバーの一面に設けた第２開口部を備え、
第２開口部に着脱可能に取り付けられる取付ベースに換気扇が固定された換気扇付きフード。
【請求項２】
換気扇を取付ベースに固定するための換気扇固定部材が、
第１開口部側から換気扇取付部に固定可能であり、
前記換気扇は、第１開口部から取り外し可能である請求項１に記載の換気扇付きフード。
【請求項３】
取付ベースは、通気部を一体に形成した請求項１又は２に記載の換気扇付きフード。
【請求項４】
カバー内側に係止部を設け、前記係止部に係止させることで取付ベースを仮固定させることが可能となる引掛部を取付ベースに設けた請求項１乃至３の何れかに記載の換気扇付きフード。
【請求項５】
換気扇がカバー内に収まり、
カバーの開口の一部を覆うことでダクト構造を形成する被覆部を、取付ベースに一体に設けた請求項１乃至４の何れかに記載の換気扇付きフード。
【請求項６】
取付ベースは、第２開口部を被覆する被覆部と通気部と、被覆部と通気部に対して垂直に設けた換気扇が固定されるベース部を有し、換気扇が第１開口部に臨むように形成される請求項１から５何れかに記載の換気扇付きフード。
【発明の詳細な説明】
【技術分野】
【０００１】
本発明は、換気扇付きフードに関するものである。
【背景技術】
【０００２】
特許文献１に記載されているように、電気電子機器収納用箱の筐体内面に換気扇を取り付け、当該換気扇を覆うようにフードを設けることは知られている。このような換気扇は、点検や交換をする際の取り外しを、筐体の内側から行うものである。
【先行技術文献】
【特許文献】
【０００３】
【特許文献１】特開２００３−１５２３７３号公報
【０００４】
ところで、電気電子機器収納用箱の筐体部には多くの電気電子機器が収納されていることが多いが、その場合、換気扇を筐体内部から取り外すことは困難であった。
【発明の概要】
【発明が解決しようとする課題】
【０００５】
本件の発明者は、この点について鋭意検討することにより、解決を試みた。本発明の課題は、筐体の外部に取り付けられるフードに覆われた換気扇を、筐体の外部から着脱できる構造にすることである。
【課題を解決するための手段】
【０００６】
上記課題を解決するため、電気電子機器収納用箱の開口部を覆うように取り付けられるカバーを備えた換気扇付きフードであって、前記カバーは、電気機器収納用箱の開口部に臨む第１開口部と、前記第１開口部とは異なるカバーの一面に設けた第２開口部を備え、第２開口部に着脱可能に取り付けられる取付ベースに換気扇が固定された換気扇付きフードとする。
【０００７】
換気扇を取付ベースに固定するための換気扇固定部材が、第１開口部側から換気扇取付部に固定可能であり、前記換気扇は、第１開口部から取り外し可能である構成とすることが好ましい。
【０００８】
取付ベースは、通気部を一体に形成した構成とすることが好ましい。
【０００９】
カバー内部に係止部を設け、前記係止部に係止させることで取付ベースを仮固定させることが可能となる引掛部を取付ベースに設けた構成とすることが好ましい。
【００１０】
換気扇がカバー内に収まり、カバーの開口の一部を覆うことでダクト構造を形成する被覆部を、取付ベースに一体に設けた構成とすることが好ましい。
【００１１】
取付ベースは、第２開口部を被覆する被覆部と通気部と、被覆部と通気部に対して垂直に設けた換気扇が固定されるベース部を有し、換気扇が第１開口部に臨むように形成される構成とすることが好ましい。
【発明の効果】
【００１２】
本発明では、筐体の外部に取り付けられるフードに覆われた換気扇を、筐体の外部から着脱できる構造にすることが可能となる。
【図面の簡単な説明】
【００１３】
【図１】換気扇付きフードの分解斜視図である。
【図２】図１とは異なる方向から見た換気扇付きフードの分解斜視図である。
【図３】換気扇付きフードを取り付ける前の電気電子機器収納用箱と換気扇付きフードの図である。
【図４】換気扇付きフードを取り付けた電気電子機器収納用箱の斜視図である。
【図５】ファンガードと換気扇付きフードの斜視図である。
【図６】ファンガードを備えた換気扇付きフードの斜視図である。
【図７】図６とは異なる方向から見た換気扇付きフードの斜視図である。
【図８】カバーと取付ベースと換気扇の斜視図である。
【図９】係止部周りを拡大した図である。但し、カバーの一部を切り欠いている。
【図１０】図６及び図７とは異なる方向から見た換気扇付きフードの斜視図である。但し、カバーの左側面を切り欠いている。
【図１１】換気扇付きフードの分解斜視図である。但し、カバーの一部を切り欠いている。
【図１２】引掛け孔を係止部に引掛けた状態の換気扇付きフードの斜視図である。但し、カバーの一部を切り欠いている。
【図１３】図１２における係止部周りを拡大した図である。
【図１４】換気扇付きフードの内部を側面側から見た図である。
【図１５】取付ベースをカバーにネジ固定した状態の換気扇付きフードの斜視図である。但し、カバーの一部を切り欠いている。
【図１６】図１５における係止部周りを拡大した図である。
【図１７】引掛け孔を係止部から取り外した状態の換気扇付きフードの斜視図である。但し、カバーの一部を切り欠いている。
【図１８】図１７における係止部周りを拡大した図である。
【図１９】換気扇付きフードの背面図である。
【発明を実施するための形態】
【００１４】
以下に発明を実施するための形態を示す。本実施形態の換気扇付きフード１は、電気電子機器収納用箱９の開口部９１を覆うように取り付けられるカバー２を備えている。図１及び図２に示すように、このカバー２は、電気電子機器収納用箱９の開口部９１に臨む第１開口部と、第１開口部とは異なるカバー２の一面に設けた第２開口部を備えている。この第１開口部には開口２１を備え、第二開口部には開口２２を備えている。また、第２開口部に着脱可能に取り付けられる取付ベース３に換気扇４が固定されている。このため、カバー２に覆われた換気扇４を電気電子機器収納用箱９の筐体外部から着脱できる構造とすることが可能となる。
【００１５】
本実施形態の電気電子機器収納用箱９は、変圧器や開閉器、遮断器などの電気電子機器を収納するものであり、屋外などに設置されるものである。図３に示すことから理解されるように、電気電子機器収納用箱９の側面や背面板には開口部９１が設けられる。また、図３及び図４に示すことから理解されるように、換気扇付きフード１は、この開口部９１を覆うように取り付けられる。本実施形態の換気扇付きフード１は、図５に示すように、その背面に突出形成したフード取付部２４を備えており、このフード取付部２４を電気電子機器収納用箱９に設けた図示しない穴部に貫通させた後、固定される。なお、換気扇付きフード１は、換気扇４を作動させることにより、電気電子機器収納用箱９の筐体内を強制的に空冷させることができる。
【００１６】
図２、図６及び図７に示すことから理解されるように、換気扇付きフード１は、開口部９１を覆う部分をなすカバー２と、カバー２内部に換気扇４を配置させるように取り付けられる取付ベース３を備えている。取付ベース３は、カバー２に備えられた取付ベース固定部２５に対して取付ベース３をネジ止めすることでカバー２に固定される。
【００１７】
図１及び図５に示すことからから理解されるように、カバー２には電気電子機器収納用箱９の開口部９１に臨む第１開口部と、第１開口部と直交する一面の各々に開口２１，２２を備えている。電気電子機器収納用箱９の開口部９１に臨む第１開口部側の開口２１は、ファンガード５が着脱可能に取り付けられており、換気扇４の稼働時に換気扇４の羽根部分に触れることを防止することができる。なお、図５に示すことから理解されるように、本実施形態のファンガード５はファンガード固定部６１に固定部材６２でネジ止めされている。ここで、電気電子機器収納用箱９の開口部９１と換気扇付フード１のカバー２の開口２１とは、略同形状の開口形状であり、カバー２のファンガード固定部６１は電気電子機器収納用箱９の開口部９１に臨む位置に形成している。
【００１８】
図１及び図７に示すことから理解されるように、電気電子機器収納用箱９の開口部９１に臨む第１開口部と直交する一面の第２開口部の開口２２からは、取付ベース３が固定される。この取付ベース３は、換気扇４が取り付けられるベース部３１を備えている。また、ベース部３１と直交するように通気部３３と、被覆部３２が設けられている。この通気部３３と被覆部３２は同一面上に隣り合うように設けられており、通気部３３と被覆部３２により、カバー２の下部に位置する第２開口部の開口２２を覆っている。
【００１９】
図１及び図８から理解されるように、取付ベース３のベース部３１には、換気扇４と対向する開口部位３９が設けられている。この開口部位３９の周辺には、換気扇取付部３５として機能する取付孔が設けられている。この換気扇取付部３５に取り付ける換気扇固定部材７１を用いて換気扇４がベース部３１に固定される。換気扇４を取付ベース３に固定するための換気扇固定部材７１が、図１９から理解されるように、電気電子機器収納用箱９の開口部９１に臨む第１開口部の開口２１側より取り付けられるとともに、開口２１の内側に位置する換気扇取付部３５に固定される。そのため、この換気扇固定部材７１が電気電子機器収納用箱９の開口部９１側、すなわち、第１開口部の開口２１側から取り外し可能であると、電気電子機器収納用箱９の内外いずれからも換気扇４を着脱可能となる。このため、状況により取り外し方法を変更することができる。
【００２０】
取付ベース３の通気部３３は、穴を複数備えたパンチングメタル形状とされており、フィルタ６などを取り付けることが可能となっている。フィルタ６は、ベース部３１に着脱自在なフィルタ保持部（図示せず）と通気部３３で挟み込むようにして保持される。なお、通気部３３をパンチングメタル形状としているため、フィルタ６を取り付けない場合でも、ゴミなどがカバー２内に侵入しにくい構造となる。本実施形態の取付ベース３は、換気扇取付部３５を形成したベース部３１と通気部３３を一体に形成しているため、換気扇４とフィルタ６を同時に固定することができ、取り付け作業の簡略化が可能となる。
【００２１】
取付ベース３のベース部３１に対して垂直に設けた被覆部３２は、取付ベース３の取り付け時に、換気扇４の下面側を覆うこととなるように形成されている。したがって、カバー２と被覆部３２により筒状のダクト構造が形成されることになり、電気電子機器収納用箱９内に空気を送付することや、電気電子機器収納用箱９内の空気を外部に排出することを効率的に行うことが可能となる。また、換気扇４が電気電子機器収納用箱９内に換気扇４が突出することなく形成できる。なお、通気部３３と被覆部３２はベース部３１に一体に設けて取付ベース３を形成するものであるが、通気部３３と被覆部３２はベース部３１に対して着脱自在とするものであっても良い。
【００２２】
ところで、本実施形態の換気扇付きフード１は、取付ベース３をカバー２から取り外すことにより、電気電子機器収納用箱９の筐体外部で換気扇４を取り外すことができるようになるが、換気扇４が固定された取付ベース３をカバー２の下方から移動させて、所定の箇所に固定させることも可能である。
【００２３】
本実施形態では、取付ベース３をカバー２に固定することを容易にするため、取付ベース３をカバー２に対して仮固定することが可能な構成としている。より具体的には、取付ベース３に引掛部として用いる引掛け孔３６を設け、この引掛け孔３６に引掛ける係止片８２を有する係止部２６をカバー２に設けている。したがって取付ベース３を一旦保持するように仮固定できることになるため、取り付け作業や位置決めが容易となる。図９に示すように、本実施形態の係止部２６は、カバー２に取り付けられた取付ベース係止金具８１により形成されており、より具体的には、取付ベース係止金具８１に設けられた係止片８２に引掛け孔３６を引掛けることが可能な構造となっている。
【００２４】
図９及び図１０に示すことから理解されるように、取付ベース係止金具８１は、カバー２の両側面に固定されている。取付ベース係止金具８１のカバー２への固定は溶接又はねじ等でなされる。本実施形態の取付ベース３はカバー２の手前側から引掛けるものであるため、係止片８２は筐体の開口部９１の第１開口部の開口２１とは反対側に突出するように形成されている。
【００２５】
図１１に示すように、取付ベース３の上端には傾斜状のガイド部３４を形成しており、このガイド部３４は、取付ベース３の固定時に、カバー２の傾斜部２３と平行な位置関係となるように形成している。このガイド部３４をカバー２の傾斜部２３に当てながら移動させると、引掛け孔３６を係止部２６の近傍まで導くことができる。引掛け孔３６を係止部２６の近傍まで移動させた後、図１２及び図１３に示すように、引掛け孔３６を係止部２６に引っ掛けることができるので取付ベース３の仮固定が容易となる。
【００２６】
仮固定された取付ベース３を持ち上げてネジ止めを行えば、図１４に示すように、カバー２の下端と取付ベース３を連ならせて固定することができる。本実施形態では、カバー２の下端の四隅に固定部材３８であるネジを取り付けているが、固定部材３８の個数や種類は適宜選択することができる。取付ベース３は仮固定された状態から持ち上げられて固定されるが、取付ベース係止金具８１の垂直方向に延びる部位が、取付ベース３をネジ止めできる位置に導くガイドの役割を果たすものとすることが好ましい。なお、取付ベース３は仮固定された状態から持ち上げられるため、図１５及び図１６に示すことから理解されるように、係止片８２は取付ベース３を支える状態から解放される。
【００２７】
ここで、換気扇４を電気電子機器収納用箱９の筐体外部から取り外す手順を説明する。最初に取付ベース３とカバー２を固定する固定部材３８を取り外し、図１２に示すように、取付ベース係止金具８１の係止片８２により取付ベース３を係止させる。なお、カバー２の下端と通気部３３が離間することにより、通気部３３が露出されるので、通気部３３に保持されたフィルタ６の交換をすることも可能である。また、カバー２に係止された状態で取付ベース３の一部が露出されるので、この際にフィルタ保持部を着脱させることも可能である。このようにフィルタ６を交換する目的で図１２に示す状態とした場合、フィルタ６の交換後に図１５に示す状態に戻せばよい。
【００２８】
取付ベース係止金具８１の係止片８２により取付ベース３を係止させた後、取付ベース３を持ち上げて、図１７及び図１８に示すように、係止片８２と引掛け孔３６との係止を外し、カバー２の下端に設けられた開口２２から取付ベース３とともに換気扇４をカバー２の外に移動させる。このようにすれば、換気扇４を筐体の外側からでも取り外し可能であるが、換気扇４を取り付ける場合は逆の順番で行えばよい。
【００２９】
次に、換気扇４を電気電子機器収納用箱９の内部から取り外す手順を説明する。まず、ファンガード５を取り外す。その後、電気電子機器収納用箱９の開口部９１に臨む第１開口部の開口２１を通じて、換気扇４を固定する換気扇固定部材７１を取り外し、換気扇４を取り外す。このようにすれば、換気扇４を筐体の内側からでも取り外し可能であるが、換気扇４を取り付ける場合は逆の順番で行えばよい。なお、本実施形態としては取付ベース３に引掛部として引掛孔３６を、カバー２に取付ベース３の引掛孔３６に係止可能な係止片８２を形成した係止部２６として説明したが、取付ベース３に係止片８２からなる係止部２６、カバー２に引掛孔３６からなる引掛部を形成するものであっても良い。
【００３０】
なお、本実施形態では、換気扇４がカバー２内に収まるため、換気扇４が電気電子機器収納用箱９の内側のスペースを圧迫することが無い。
【００３１】
以上、一つの実施形態を中心に説明してきたが、本発明は上記実施形態に限定されることはなく、各種の態様とすることが可能である。
【符号の説明】
【００３２】
１  換気扇付きフード
２  カバー
３  取付ベース
４  換気扇
９  電気電子機器収納用箱
２６  係止部
３２  被覆部
３３  通気部
３５  換気扇取付部
３６  引掛け孔
７１  換気扇固定部材
９１  開口部
【図１】
2018170434.tif 000003
【図２】
2018170434.tif 000004
【図３】
2018170434.tif 000005
【図４】
2018170434.tif 000006
【図５】
2018170434.tif 000007
【図６】
2018170434.tif 000008
【図７】
2018170434.tif 000009
【図８】
2018170434.tif 000010
【図９】
2018170434.tif 000011
【図１０】
2018170434.tif 000012
【図１１】
2018170434.tif 000013
【図１２】
2018170434.tif 000014
【図１３】
2018170434.tif 000015
【図１４】
2018170434.tif 000016
【図１５】
2018170434.tif 000017
【図１６】
2018170434.tif 000018
【図１７】
2018170434.tif 000019
【図１８】
2018170434.tif 000020
【図１９】
2018170434.tif 000021